(57)【要約】【課題】表示特性を向上させることができるバックライトアセンブリ及びこれを有する表示装置を開示する。【解決手段】バックライトアセンブリは、導光板及びランプを収納する収納容器、及び導光板を固定する固定部材を含む。固定部材は、ランプからの光が入射される導光板の入射面を支持して、導光板が移動してしまうことを防止するので、バックライトアセンブリは、導光板の形状を変更する必要なく、導光板を固定することができる。これによって、バックライトアセンブリは均一な輝度を有する光を液晶表示パネルに提供することができるので、表示装置の表示特性を向上させることができる。【選択図】図１
2006216529.tif 000002
【特許請求の範囲】
【請求項１】
光を発生する光供給部と、
前記光供給部から出射された光の経路をガイドする導光板と、
前記光供給部及び前記導光板を収納する収納容器と、
前記収納容器と結合して前記導光板を固定する固定部材と、
を含むことを特徴とするバックライトアセンブリ。
【請求項２】
前記収納容器は、
前記導光板が装着される底面と、
前記底面から前記導光板を収納する収納空間を形成するように延びる側壁と、を含むことを特徴とする請求項１記載のバックライトアセンブリ。
【請求項３】
前記固定部材は、
前記収納容器の側壁と隣接した本体と、
前記導光板の移動を防止するように、前記本体の第１端部から前記収納空間の内側に延びるように形成された第１支持部と、
を含むことを特徴とする請求項２記載のバックライトアセンブリ。
【請求項４】
前記導光板は、
前記光供給部からの光が入射される入射面と、
前記入射面の第１端部から延び、前記光を出射する出射面と、
前記入射面の第２端部から前記出射面と向かい合うように延び、前記入射された光の経路を変更して前記出射面側に提供するガイド面と、を含むことを特徴とする請求項３記載のバックライトアセンブリ。
【請求項５】
前記第１支持部は、前記入射面の少なくとも一つの角に隣接して位置することを特徴とする請求項４記載のバックライトアセンブリ。
【請求項６】
前記固定部材は、前記本体の第２端部から前記第１支持部と向かい合うように延び、前記収納容器と結合する第２支持部を更に含み、
前記収納容器の側壁は、背面に前記第２支持部が挿入される挿入溝を具備することを特徴とする請求項３記載のバックライトアセンブリ。
【請求項７】
前記収納容器の側壁は、背面に前記固定部材と結合するための締結溝を具備し、
前記本体は、前記締結溝と対応する位置に形成された結合溝を具備することを特徴とする請求項３記載のバックライトアセンブリ。
【請求項８】
前記光供給部は、
電源の提供を受けて前記光を発生するランプと、
前記ランプの端部に位置して、前記ランプを固定するランプホルダーと、
前記ランプを収納して、前記ランプからの光を前記導光板に反射するランプカバーと、を含むことを特徴とする請求項７記載のバックライトアセンブリ。
【請求項９】
前記第１支持部の一端部は前記導光板と重なり、
前記第１支持部と前記導光板が重なる領域は、前記ランプホルダーと前記導光板とが重なる領域と同じであることを特徴とする請求項８記載のバックライトアセンブリ。
【請求項１０】
前記ランプカバーは、前記収納容器と結合するための結合ホールを具備し、
前記ランプカバー及び前記固定部材は、前記結合ホール及び前記結合溝を貫通して前記締結溝に締結されるスクリューを利用して、前記収納容器と結合することを特徴とする請求項８記載のバックライトアセンブリ。
【請求項１１】
前記光供給部は、前記ランプの端部に具備され前記電源を前記ランプに提供するワイヤーを更に具備し、
前記収納容器に、光供給部が収納される側壁に前記ワイヤーの位置をガイドする収納溝が形成されたことを特徴とする請求項８記載のバックライトアセンブリ。
【請求項１２】
前記収納容器に、前記収納溝と隣接して前記ワイヤーを固定する固定ホールが形成されたことを特徴とする請求項１１記載のバックライトアセンブリ。
【請求項１３】
前記第１支持部は、前記光供給部の非発光領域内に位置することを特徴とする請求項３記載のバックライトアセンブリ。
【請求項１４】
前記固定部材は、金属材質で形成されることを特徴とする請求項１記載のバックライトアセンブリ。
【請求項１５】
前記導光板と前記収納容器との間に具備され、前記導光板の背面から出射された光を反射する反射シートを更に含むことを特徴とする請求項１記載のバックライトアセンブリ。
【請求項１６】
前記導光板の背面に付着され前記導光板を固定する第１接着部材を更に具備することを特徴とする請求項１５記載のバックライトアセンブリ。
【請求項１７】
前記反射シートは、前記第１接着部材が具備された領域を除いた領域に配置され、
前記第１接着部材は、前記ガイド面と前記収納容器の底面との間に配置されることを特徴とする請求項１６記載のバックライトアセンブリ。
【請求項１８】
前記収納容器は、前記導光板が水平を維持するように、前記第１接着部材と接する領域に前記底面から突出して形成された突起を具備することを特徴とする請求項１７記載のバックライトアセンブリ。
【請求項１９】
前記反射シートの背面に付着され前記反射シートを固定する第２接着部材を更に含み、
前記第１接着部材は、前記ガイド面と前記反射シートとの間に設けられることを特徴とする請求項１６記載のバックライトアセンブリ。
【請求項２０】
前記第１及び第２接着部材は、両面テープであることを特徴とする請求項１９記載のバックライトアセンブリ。
【請求項２１】
前記導光板は、一つの面に前記光供給部から入射された光の経路を変更して出射するプリズムパターンを具備しており、
前記プリズムパターンは、前記光供給部の長手方向と直交する方向に延びるように形成されることを特徴とする請求項１記載のバックライトアセンブリ。
【請求項２２】
前記プリズムパターンは、第１プリズムパターンであり、
前記バックライトアセンブリは、前記導光板の出射面上に設けられた光学シートを含み、
前記光学シートは、前記第１プリズムパターンに直交な方向に延びる第２プリズムパターンを含むことを特徴とする請求項２１記載のバックライトアセンブリ。
【請求項２３】
前記導光板の出射面上に設けられた光学シートを更に含み、
前記光学シートはホールを有し、
前記収納容器は前記ホールに挿入される突起を含み、
前記突起は、前記光学シートと前記収納容器との間に前記導光板を固定することを特徴とする請求項１記載のバックライトアセンブリ。
【請求項２４】
前記固定部材は、前記光供給部の第１端部に隣接して配置される第１固定部材であり、
前記バックライトアセンブリは、前記光発生部の第２端部に隣接して配置される第２固定部材を更に含むことを特徴とする請求項１記載のバックライトアセンブリ。
【請求項２５】
前記固定部材は、前記収納容器の背面から前記バックライトアセンブリに挿入され、
前記導光板は、前記収納容器の前面から前記収納容器の内部に収納されることを特徴とする請求項１記載のバックライトアセンブリ。
【請求項２６】
前記固定部材は、非接着剤であることを特徴とする請求項１記載のバックライトアセンブリ。
【請求項２７】
前記収納容器に前記導光板を固定するための接着部材を更に含むことを特徴とする請求項２６記載のバックライトアセンブリ。
【請求項２８】
光を発生する光供給部と、
一つの面に前記光供給部から入射された光の経路を変更して出射するプリズムパターンが形成された導光板と、
前記光供給部及び前記導光板を収納する収納容器と、
前記収納容器と結合して前記導光板を固定する固定部材と、
を含むことを特徴とするバックライトアセンブリ。
【請求項２９】
光の提供を受けて画像を表示する表示パネルと、
前記光を発生する光供給部、前記光供給部から入射された光の経路をガイドして前記表示パネルに提供する導光板、前記光供給部及び前記導光板を収納する収納容器、及び前記収納容器と結合して前記導光板を固定する固定部材を含むバックライトアセンブリと、を含むことを特徴とする表示装置。
【請求項３０】
前記収納容器は、
前記導光板が装着される底面と、
前記底面から前記導光板を収納する収納空間を形成するように延び、前記固定部材と結合するための挿入溝が形成された側壁と、
を含むことを特徴とする請求項２９記載の表示装置。
【請求項３１】
前記固定部材は、
本体と、
前記導光板の移動を防止するように、前記本体の第１端部から前記収納空間の内側に延びるように形成された第１支持部と、
前記本体の第２端部から第１方向に前記第１支持部と向かい合うように延び、前記挿入溝に挿入される第２支持部と、
を含むことを特徴とする請求項３０記載の表示装置。
【請求項３２】
前記第１支持部の一端部は、前記光供給部からの光が入射される前記導光板の入射面と重なることを特徴とする請求項３１記載の表示装置。
【請求項３３】
前記収納容器の底面は開口部を含み、
前記導光板と向かい合う前記底面の内面は、それぞれ、開口部と隣接する部分に近づくほど、漸次厚さが薄くなるように形成されることを特徴とする請求項３０記載の表示装置。
【請求項３４】
前記収納容器は前記表示パネルを収納し、
前記収納容器の側壁の角には、前記表示パネルの位置をガイドするためのガイド部が設けられることを特徴とする請求項３０記載の表示装置。
【請求項３５】
光の提供を受けて画像を表示する表示パネルと、
前記光を発生する光供給部、一つの面に前記光供給部から入射された光の経路を変更して前記表示パネルに提供するプリズムパターンが形成された導光板、前記光供給部及び前記導光板を収納する収納容器、及び前記収納容器と結合して前記導光板を固定する固定部材を含むバックライトアセンブリと、
を含み、
前記プリズムパターンは、前記光供給部の長手方向と直交する方向に延びることを特徴とする表示装置。
【請求項３６】
前記プリズムパターンは、前記導光板の背面に形成されることを特徴とする請求項３５記載の表示装置。
【請求項３７】
前記光供給部は、
電源の提供を受けて前記光を発生するランプと、
前記ランプを収納し、前記ランプからの光を前記導光板に反射するランプカバーと、を含み、
前記ランプカバーの上面は、前記表示パネルのエッジ領域を支持することを特徴とする請求項３５記載の表示装置。
【請求項３８】
前記表示パネルを水平に維持されるように、前記ランプカバーと前記表示パネルとの間に設けられるガイドパッドを更に含むことを特徴とする請求項３７記載の表示装置。
【請求項３９】
前記ガイドパッドは、ゴム材質で形成されることを特徴とする請求項３８記載の表示装置。
【請求項４０】
光の提供を受けて画像を表示する表示パネルと、
前記光を発生するランプ、前記ランプから入射された光の経路をガイドして前記表示パネルに提供する導光板、前記導光板の下に具備され前記導光板から入射された光を反射する反射シート、前記導光板及び前記反射シートを収納する収納容器、前記収納容器と結合して前記導光板を固定する固定部材、及び前記導光板の背面に付着され前記導光板を固定する接着部材を具備するバックライトアセンブリと、を含むことを特徴とする表示装置。
【請求項４１】
前記反射シートは、前記導光板の背面で前記接着部材が具備された領域を除いた領域に位置することを特徴とする請求項４０記載の表示装置。
【請求項４２】
前記接着部材は、前記導光板と前記収納容器の底面との間に配置され、前記ランプと隣接した前記導光板の第１端部と対向する第２端部に位置することを特徴とする請求項４１記載の表示装置。
【請求項４３】
前記バックライトアセンブリは、
前記ランプを収納して、前記ランプからの光を前記導光板に反射し、前記収納容器の内側に位置するランプカバーを更に含み、
前記接着部材は、前記導光板と前記ランプカバーとの間に配置され、前記導光板を前記ランプカバーに固定することを特徴とする請求項４１記載の表示装置。
【請求項４４】
前記導光板は、一つの面に前記ランプから入射された光の経路を変更して出射するプリズムパターンを具備して、
前記プリズムパターンは、前記ランプの長手方向と直交する方向に延びるように形成されることを特徴とする請求項４０記載の表示装置。
【請求項４５】
光の提供を受けて画像を表示する表示パネルと、
前記光を発生する光供給部、前記光供給部から入射された光の経路をガイドして前記表示パネルに提供する導光板、前記導光板の背面に具備され前記導光板から入射された光を反射する反射シート、前記光供給部、前記導光板、及び前記反射シートを収納する収納容器、前記収納容器と結合して前記導光板を固定する固定部材、及び前記導光板と前記収納容器の底面との間に介在され前記導光板を前記収納容器に固定する接着部材を具備するバックライトアセンブリと、を含み、
前記収納容器の底面には、前記導光板が水平を維持するように前記接着部材と対応する領域に前記導光板を支持する突起が形成されたことを特徴とする表示装置。
【請求項４６】
前記反射シートは、前記収納容器の底面で前記突起が形成された領域を除いた領域に位置することを特徴とする請求項４５記載の表示装置。
【請求項４７】
前記接着部材は、前記光供給部と隣接した前記導光板の第１端部と対向する第２端部に位置することを特徴とする請求項４５記載の表示装置。
【請求項４８】
前記導光板は、一つの面に前記光供給部から入射された光の経路を変更して出射するプリズムパターンを具備しており、
前記プリズムパターンは、前記光供給部の長手方向と直交する方向に延びるように形成されたことを特徴とする請求項４５記載の表示装置。
【請求項４９】
光の提供を受けて画像を表示する表示パネルと、
前記光を発生するランプ、前記ランプから入射された光の経路をガイドして前記表示パネルに提供する導光板、前記導光板の下に具備され前記導光板から入射された光を反射する反射シート、前記導光板及び前記反射シートを収納する収納容器、前記収納容器と結合して前記導光板を固定する固定部材、前記導光板と前記反射シートとの間に介在され前記導光板を前記反射シートに固定する第１接着部材、及び前記反射シートの背面に付着され前記反射シートを固定する第２接着部材を具備するバックライトアセンブリと、を含むことを特徴とする表示装置。
【請求項５０】
前記第２接着部材は、前記反射シートと前記収納容器の底面との間に配置され、前記ランプと隣接した前記導光板の第１端部と対向する第２端部に位置することを特徴とする請求項４９記載の表示装置。
【請求項５１】
前記バックライトアセンブリは、
前記ランプを収納して、前記ランプからの光を前記導光板に反射して、前記収納容器の内側に位置するランプカバーを更に含み、
前記第２接着部材は、前記反射シートと前記ランプカバーとの間に配置され前記導光板を前記ランプカバーに固定することを特徴とする請求項４９記載の表示装置。
【請求項５２】
前記導光板は、一つの面に前記ランプから入射された光の経路を変更して出射するプリズムパターンを具備しており、
前記プリズムパターンは、前記ランプの長手方向と直交する方向に延びるように形成されることを特徴とする請求項４９記載の表示装置。
【請求項５３】
光の提供を受けて画像を表示する表示パネルと、
前記光を発生するランプ、前記ランプを収納して前記ランプからの光を前記導光板に反射するランプカバー、前記ランプから入射された光の経路をガイドして前記表示パネルに提供する導光板、前記導光板の背面に具備され前記導光板から入射された光を反射する反射シート、前記導光板及び前記反射シートを収納する収納容器、前記収納容器と結合して前記導光板を固定する固定部材、前記導光板の背面と前記ランプカバーとの間に配置され前記導光板を前記ランプカバーに固定する接着部材を具備するバックライトアセンブリと、を含み、
前記ランプカバーは、前記接着部材が付着された領域に、前記導光板が水平を維持するように、前記導光板を支持する突起が形成されることを特徴とする表示装置。
【請求項５４】
前記導光板は、一つの面に前記ランプから入射された光の経路を変更して出射するプリズムパターンを具備しており、
前記プリズムパターンは、前記ランプの長手方向と直交する方向に延びるように形成されることを特徴とする請求項５３記載の表示装置。
【発明の詳細な説明】
【技術分野】
【０００１】
本発明は、バックライトアセンブリ、及びこれを有する液晶表示装置に係り、より詳細には、輝度が均一な光を提供して表示特性を向上させることができるバックライトアセンブリ、及びこれを有する液晶表示装置に関する。
【背景技術】
【０００２】
一般に、表示装置は、外部から入力される画像信号に応答して画像を表示する。液晶表示装置は平板表示装置の一種であって、液晶の光学的特性を利用して画像を表示する。
【０００３】
液晶表示装置は、画像を表示する液晶表示パネルが自ら発光しない受光素子なので、液晶表示パネルに光を提供するバックライトアセンブリを具備する。
【０００４】
バックライトアセンブリは、光を発生するランプ、前記ランプから発生された光の経路を前記液晶表示パネルへ向かう方向にガイドするための導光板、前記導光板の下部に配置され漏洩する光を反射させる反射シート、前記導光板から出射される光の輝度特性を向上させる光学シート、及びこれを収納するための収納容器を含む。
【０００５】
最近、液晶表示装置の開発方向は、液晶表示装置の表示品質を向上させるために、高輝度を志向する傾向にある。このような傾向によって、輝度を向上させて製造原価を節減できるプリズム導光板が開発された。プリズム導光板は、下部面に微細ピッチのプリズムパターンが形成される。バックライトアセンブリは、プリズム導光板の上部に１つの逆プリズムシートのみを具備しても、従来より高い輝度を得ることができる。
【０００６】
しかし、プリズム導光板は、一般的な導光板のように収納容器への固定のために形状加工を施す場合、下部面に形成されたプリズムパターンのために、形状加工された部位で暗部が発生したり、輝線が発生したりする場合がある。
【０００７】
又、プリズム導光板が固定されることなく、ランプ側に移動してしまい、プリズム導光板及びランプが破損する虞がある。
【発明の開示】
【発明が解決しようとする課題】
【０００８】
本発明の目的は、導光板を固定して輝度が均一な光を提供することができるバックライトアセンブリを提供することにある。
【０００９】
又、本発明の目的は、上述したバックライトアセンブリを具備する表示装置を提供することにある。
【課題を解決するための手段】
【００１０】
前記した本発明の目的を実現するための一特徴によるバックライトアセンブリは、光供給部、導光板、収納容器、及び固定部材で構成される。
【００１１】
光供給部は、光を発生する。導光板は、その一つの面に光供給部から入射された光の経路を変更するプリズムパターンが形成される。収納容器は、光供給部及び導光板を収納する。固定部材は、収納容器の側壁と隣接した本体、及び導光板の移動を防止するように本体の第１端部から収納空間の内側に延びるように形成された第１支持部で構成され、収納容器と結合して導光板を固定する。
【００１２】
前述した本発明の目的を実現するための一特徴による表示装置は、表示パネル、及びバックライトアセンブリで構成される。
【００１３】
表示パネルは、光の提供を受けて画像を表示する。バックライトアセンブリは、光供給部、導光板、収納容器、及び固定部材を含む。光供給部は、光を発生する。導光板は、その一つの面に光供給部から入射された光の経路を変更して、表示パネルに提供するプリズムパターンが形成される。収納容器は、光供給部及び導光板を収納する。固定部材は、収納容器の側壁と隣接した本体、及び導光板の移動を防止するように本体の第１端部から収納空間の内側に延びるように形成された第１支持部で構成され、収納容器と結合して導光板を固定する。
【００１４】
このようなバックライトアセンブリ及びこれを有する表示装置によると、固定部材の第１支持部は、導光板を支持して導光板の移動を防止することができるので、バックライトアセンブリは、導光板の形状を変形しなくても導光板を固定することができる。これによって、バックライトアセンブリは、均一な輝度を有する光を表示パネルに提供することができる。
【発明を実施するための最良の形態】
【００１５】
以下、添付図面を参照して、本発明をより詳細に説明する。
【００１６】
図１は、本発明の一実施例によるバックライトアセンブリを示す分解斜視図であり、図２は、図１に図示されたランプを示す斜視図である。
【００１７】
図１及び図２を参照すると、本発明によるバックライトアセンブリ１０００は、光を発生するランプユニット１００、前記ランプユニット１００の一側に位置して前記光の経路をガイドする導光板２００、前記導光板２００の上部に具備された光学シート３００、前記導光板２００の下部に具備された反射シート４００、収納容器５００、及び前記導光板２００を固定する第１及び第２固定部材６１０、６２０を含む。
【００１８】
より詳細には、前記ランプユニット１００は、電源の提供を受けて光を発生するランプ１１０、及び前記ランプ１１０を収納するランプカバー１２０を含む。
【００１９】
前記ランプ１１０は、前記光が入射される前記導光板２００の入射面と前記ランプカバー１２０とで定義される空間に具備される。
【００２０】
図２を参照すると、前記ランプ１１０は、チューブ形状を有する冷陰極管蛍光ランプ（ＣＣＦＬ）で構成され、前記ランプ１１０の両端部には、前記ランプ１１０を固定する第１及び第２ランプホルダー１３０、１３５が具備される。
【００２１】
前記ランプ１１０の両端部には、外部の電源供給装置（図示せず）と連結され前記ランプ１１０に前記電源電圧を印加する第１及び第２ワイヤー１４０、１４５がそれぞれ具備される。前記第１及び第２ランプホルダー１３０、１３５には、前記第１及び第２ワイヤー１４０、１４５を外部に引き出すためのホールが形成される。
【００２２】
図１を更に参照すると、前記ランプカバー１２０は、前記ランプ１１０と向かい合う面に前記光を反射する反射部材がコーティングされる。前記ランプカバー１２０にコーティングされた反射部材は、前記ランプ１１０からの光を前記導光板２００側に反射して、光の利用効率を向上させる。
【００２３】
前記導光板２００は、前記ランプユニット１００から線光源形態で入射された光の経路を変更して、面光源形態の光を出射する。前記導光板２００は、前記ランプユニット１００側から反対側に行くほど、厚さが漸次薄く形成されるウェッジ（楔形）形状を有する。
【００２４】
前記導光板２００の上部に具備された前記光学シート３００は、導光板２００から出射される光の輝度特性を向上させて、例えば、輝度を増加させ及び輝度均一性を向上させて出射する。前記光学シート３００としてはプリズムシート及び拡散シート等がある。前記バックライトアセンブリ１０００は、少なくとも１枚以上の光学シートを具備して、要求される輝度特性によって別の拡散シートやプリズムシートを更に追加するか、除去することができる。
【００２５】
前記導光板２００の下に具備された前記反射シート４００は、前記導光板２００の下部面に出射される光を反射して、光の利用効率を向上させる。
【００２６】
前記収納容器５００は、前記ランプユニット１００、前記導光板２００、前記光学シート３００、及び前記反射シート４００を収納する。前記収納容器５００は、底面５１０、及び前記底面５１０から収納空間を形成するように延びる側壁５２０を含む。前記底面３１０には、前記反射シート４００、前記導光板２００、及び前記光学シート３００が順次に装着される。
【００２７】
前記ランプユニット１００は、前記収納容器５００の下部から前記収納容器５００の内側に挿入され、前記導光板２００の入射面と前記収納容器５００の側壁５２０との間に収納される。前記収納容器５００についての具体的な説明は後述する図５で説明する。
【００２８】
前記第１及び第２固定部材６１０、６２０は、前記収納容器５００の下部から前記収納容器５００の内側に挿入され、前記導光板２００の位置を固定する。前記第１及び第２固定部材６１０、６２０は、厚さが薄く固い金属材質で形成される。前記第１及び第２固定部材６１０は、前記ランプ１１０の両端部近傍に位置して、前記導光板２００が前記ランプ１１０側に移動してしまうことを防止する。本実施例において、第１及び第２固定部材６１０、６２０は、非接着剤、すなわち、接着剤で導光板を結合するのではなく、機械的構造によって導光板を結合するものとして構成される。
【００２９】
前記バックライトアセンブリ１０００は、前記収納容器５００の外側に具備されるバックカバー７００を更に具備することができる。前記バックカバー７００は、前記ランプユニット１００が収納される位置に具備され、前記ランプユニット１００から発生した熱を迅速に放出する。前記バックカバー７００は、前記ランプカバー１２０の下部面及び前記収納容器５００の一側面をカバーする。
【００３０】
この実施例において、前記バックライトアセンブリ１０００は、前記バックカバー７００を前記ランプカバー１２０と別に具備するが、前記バックカバー７００の機能を有するランプカバーを具備して、前記バックカバー７００を具備しなくても良い。
【００３１】
図３は、図１に図示された導光板及びプリズムシートを示す斜視図である（説明のため、図３は図１に示した導光板及びプリズムシートを下方から見た状態を示している）。
【００３２】
図３を参照すると、前記導光板２００は、前記ランプユニット１００（図１参照）から前記光が入射される入射面２１０、前記入射面２１０の第１端部から延びるように形成された出射面２２０、前記入射面２１０の第２端部から前記出射面２２０と向かい合うように延びるガイド面２３０を含む。前記ガイド面２３０は、前記バックライトアセンブリ１０００の反射シート４００と向かい合い、前記出射面２２０は、前記光学シート３００と向かい合う。
【００３３】
前記ガイド面２３０には、前記導光板２００の正面輝度を向上させ、前記入射面２１０を通じて入射された光の経路を変更して、前記出射面２２０側に提供する第１プリズムパターン２３１が形成される。前記第１プリズムパターン２３１は、前記ランプ１１０の長手方向に直交する方向に延びるように形成される。
【００３４】
前記導光板２００の上部に配置された前記光学シート３００は、前記導光板２００と接する下部面に前記第１プリズムパターン２３１の延長方向と直交する方向に延長された第２プリズムパターン３１０が形成される。前記第１及び第２プリズムパターン２３１、３１０は、液晶表示装置の表示パネルに輝線又は暗線が発生することを防止するために使用される。
【００３５】
前記光学シート３００は、両側部にそれぞれ形成され、前記光学シート３００を固定する第１及び第２シート固定部３２０、３３０を更に含む。前記第１及び第２シート固定部３２０、３３０は、前記光学シート３００の両側部からそれぞれ突出し、前記収納容器５００（図１参照）の側壁５２０の上面に装着される。前記第１及び第２固定部３２０、３３０には、前記収納容器５００と結合するためのホール３２１、３３１が形成される。
【００３６】
図４は、図１に図示された収納容器を示す斜視図であり、図５は、図４に図示されたＡ部分を拡大して示す斜視図である。
【００３７】
図４及び図５を参照すると、前記収納容器５００の底面５１０には、前記バックライトアセンブリ１０００の重量を最小化するための多数の開口部５１１が形成される。
【００３８】
図５に示すように、前記反射シート４００（図１参照）が装着される前記底面５１０の内面は、第１プリズムパターン２３１の変形を防止するように、各開口部側の端部分に近づくほど、その厚さが漸次薄くなるように形成される。
【００３９】
即ち、前記底面５１０の内面には前記導光板２００が収納され、前記導光板２００の背面には、前記第１プリズムパターン２３１（図３参照）が形成される。前記底面５１０の前記各開口部を取り囲む端部が薄くなるように形成されない場合（すなわち、底面５１０の厚さが開口部を取り囲む端部とそれ以外の部分とほぼ同じ厚さ又はより厚く形成される場合）、前記各開口部を取り囲む端部と前記第１プリズムパターン２３１との間に摩擦が発生すると、前記第１プリズムパターン２３１のプリズム山の磨耗等の変形が発生する。
【００４０】
プリズムパターンのプリズム山の変形によって、前記導光板２００から出射される光の輝度が減少してしまう。そのため、本実施形態においては、、底面５１０の、前記各開口部を取り囲む端部を傾斜面で形成して、前記第１プリズムパターン２３１の変形を防止する。
【００４１】
図４を更に参照すると、前記収納容器５００の側壁５２０は、第１乃至第４側部５２０ａ、５２０ｂ、５２０ｃ、５２０ｄで構成される。前記第１側部５２０ａは、前記第２側部５２０ｂと互いに対向して位置し、前記第３及び第４側部５２０ｃ、５２０ｄは、前記第１及び第２側部５２０ａ、５２０ｂと隣接して位置する。前記第３側部５２０ｃと前記第４側部５２０ｄは、互いに対向して位置する。
【００４２】
前記第１側部５２０ａには、前記ランプユニット１００（図１参照）が収納される。前記第３及び第４側部５２０ｃ、５２０ｄには、前記光学シート３００（図３参照）の第１及び第２シート固定部３２０、３３０とそれぞれ結合する第１及び第２固定突起５２１、５２２がそれぞれ形成される。
【００４３】
前記第１及び第２固定突起５２１、５２２は、前記第１及び第２シート固定部３２０、３３０に形成されたホール３２１、３３１と結合して、前記光学シート３００を前記収納容器５００に固定する。
【００４４】
前記収納容器５００は、前記第１側部５２０ａの上面に形成され、前記第１及び第２ワイヤー１４０、１４５（図２参照）を収納する収納溝５３０、及び前記第１側部５２０ａの外側面に形成され前記第１及び第２ワイヤー１４０、１４５（図２参照）を固定する固定ホール５４０を具備する。
【００４５】
前記収納容器５００は、前記側壁５２０の４つの角に形成され画像を表示する液晶表示パネル（図示せず）をガイドするガイド部５５０を更に含む。前記ガイド部５５０は、前記側壁５２０の上端部に位置し、前記側壁５２０より外側に突出される。
【００４６】
以下、図面を参照して、前記収納容器と前記第１及び第２ワイヤー間の結合関係を具体的に説明する。
【００４７】
図６は、図４に図示されたＢ部分を拡大して示す斜視図であり、図７は、図６に図示された収納溝にワイヤーが収納された状態を示す斜視図である。
【００４８】
図６及び図７を参照すると、前記収納溝５３０は、前記第１側部５２０ａの長手方向に延び、前記固定ホール５４０は、前記収納溝５３０と隣接して位置する。前記収納溝５３０を構成する前記第１側部５２０ａの上面は、前記固定ホール５４０と隣接した部分が除去される。従って、前記収納溝５３０は、前記固定ホール５４０を基準として２つの領域に分離され、前記第１及び第２ワイヤー１４０、１４５は、前記分離された領域にそれぞれ収納される。
【００４９】
前記固定ホール５４０は、前記第１及び第２ワイヤー１４０、１４５の断面が円形状に形成されるので、２つの円が連結された「８」字形状に形成される。前記固定ホール５４０は、前記収納溝５３０に収納された前記第１及び第２ワイヤー１４０、１４５が挿入されるように一側が開口される。
【００５０】
図７に示すように、前記第１及び第２ワイヤー１４０、１４５は、前記ランプユニット１００（図１参照）から引き出されて前記収納溝５３０に収納され、外部の電源供給装置と連結される一端部が前記固定ホール５４０を通して外部に引き出される。前記第１及び第２ワイヤー１４０、１４５は、前記固定ホール５４０に挿入され前記収納容器５００に固定される。
【００５１】
以下、図面を参照して、前記収納容器と前記固定部材及びランプカバー間の結合関係を具体的に説明する。
【００５２】
図８は、図１に図示された収納容器、第１及び第２固定部材、及びランプカバー間の結合関係を示す部分分解斜視図であり、図９は、図１に図示された第１固定部材を示す斜視図である。説明のため、図８では、収納容器の背面（図１における下側の面）が上方にくるように記載されている。
【００５３】
図８及び図９を参照すると、前記収納容器５００の第３側部５２０ｃの下部面には、前記第１固定部材６１０が具備され、前記ランプカバー１２０及び前記第１固定部材６１０と結合するための第１締結溝５２３が形成される。前記第１締結溝５２３は、第３側部５２０ｃの、前記第１側部５２０ａと隣接した端部に形成される。
【００５４】
前記第３側部５２０ｃと対向する第４側部５２０ｄの下部面には、前記第２固定部材６２０が具備され、前記ランプカバー１２０及び前記第２固定部材６２０と結合するための第２締結溝５２４が形成される。前記第２締結溝５２４は、第４側部５２０ｄの、前記第１側部５２０ａと隣接した端部に形成される。
【００５５】
前記第１及び第２固定部材６１０、６２０は、同様の構造を有する。従って、前記第１及び第２固定部材６１０、６２０についての具体的な説明において、前記第１固定部材６１０を一例として説明し、前記第２固定部材６２０についての説明は省略する。
【００５６】
図９を参照すると、前記第１固定部材６１０は、前記第３側部５２０ｃの下部面に装着される本体６１１、前記本体６１１の第１端部から第１方向に延びる第１支持部６１２、及び前記本体６１１の第２端部から前記第１方向に前記第１支持部６１２と向かい合うように延び、前記収納容器５００と結合する第２支持部６１３を含む。前記第１支持部６１２及び前記第２支持部６１３は、前記本体部６１１に対して垂直に配置されることができる。前記第１支持部６１２は、前記第２支持部６１３と互いに平行に配置される。前記第２支持部６１３は、前記収納容器５００に収納される。前記第２支持部６１３は、前記収納容器５００に第１支持部材６１０が固定されるように、前記収納容器５００の第３側壁５２０ｃに結合される。
【００５７】
前記本体６１１は、前記第１締結溝５２３と対応するように形成される結合溝６１４が形成される。前記結合溝６１４は、前記本体部６１１の一側壁から延びる開口部を含むように構成されても、前記本体部６１１の内側部分を貫通して形成された孔として構成されても良い。
【００５８】
前記第１支持部６１２の幅Ｗ１は、前記第２支持部６１３の幅Ｗ２より広く形成され、第１支持部６１２の長さＬ１は、前記第２支持部６１３の長さＬ２より長く形成される。前記第１支持部６１２の長さＬ１は、前記本体６１１の第１端部より長く形成され、前記導光板２００の入射面２１０を部分的に支持する。
【００５９】
図８を更に参照すると、前記第１及び第２固定部材６１０、６２０が前記収納容器５００に結合されると、前記ランプカバー１２０が前記収納容器５００の下部側から前記収納容器５００の内側に挿入され、前記第１側部５２０ａに収納される。
【００６０】
前記ランプカバー１２０は、前記導光板２００（図３参照）の入射面２１０と向かい合う第１部分１２１、前記第１部分１２１の第１端部から延びる第２部分１２２、及び前記第１部分１２１の第２端部から前記第２部分１２２と向かい合うように延びる第３部分１２３を具備する。前記第２部分１２２と前記第３部分１２３は、互いに平行である。前記第２部分１２２には、前記収納容器５００の第１及び第２締結溝５２３、５２４とそれぞれ対応する第１及び第２結合ホール１２４、１２５が形成される。第１及び第２結合ホール１２４、１２５は、前記第２部分１２２の前記第１及び第２端部に隣接して配置される。又、前記第１及び第２結合溝１２４、１２５は、前記第１及び第２締結溝５２３、５２４に対応する。
【００６１】
前記ランプカバー１２０の第１部分１２１は、前記第１側部５２０ａの内側面と接して、前記第３部分１２３は、前記第１側部５２０ａの上面と接して、前記第２部分１２２は、前記収納容器５００に形成された開口部を通じて外部に露出される。
【００６２】
前記ランプカバー１２０及び前記第１及び第２固定部材６１０、６２０は、第１及び第２スクリュー８１０、８２０を利用して、前記収納容器５００と結合する。前記ランプカバー１２０及び前記第１及び第２固定部材６１０、６２０が前記収納容器５００の側壁５２０に装着されると、前記第１スクリュー８１０は、前記第１結合ホール１２４及び前記第１固定部材６１０に形成された結合溝６１４を順次に貫通して、前記第３側部５２０ｃに形成された前記第１締結溝５２３に締結される。前記第２スクリュー８２０は、前記第２結合ホール１２５及び前記第２固定部材６２０に形成された結合溝６２４を順次に貫通して、前記第４側部５２０ｄに形成された前記第２締結溝５２４に締結される。
【００６３】
図１０は、図９に図示されたＣ部分を拡大して示す斜視図である。
【００６４】
図１０を参照すると、前記収納容器５００の前記第３側部５２０ｃには、前記第１固定部材６１０が具備される領域に前記第１固定部材６１０の第２支持部６１３が挿入される第１挿入溝５２５が形成される。前記第３側部５２０ｃは、前記第１固定部材６１０の結合溝６１４と対応するように形成され、前記第１スクリュー８１０が挿入される前記第１締結溝５２３を具備する。前記第２支持部６１３は、前記第１挿入溝５２５内に挿入され、前記第１スクリュー８１０は、前記第１固定部材６１０の本体部６１１に垂直な方向に第１締結溝５２３に挿入されることができる。
【００６５】
図８に示すように、前記第４側部５２０ｄには、前記第２固定部材６２０が具備される領域に、前記第２固定部材６２０を固定するように前記第２固定部材６２０の第２支持部が挿入される第２挿入溝５２４が形成される。
【００６６】
図１１は、図９に図示された収納容器、第１及び第２固定部材、及びランプカバーが結合された状態を示す平面図であって、収納容器の背面を示す。
【００６７】
図１１を参照すると、前記導光板２００は、前記収納容器５００の上部から前記収納容器５００の内側に収納される。これと反対に、前記ランプ１１０が収納された前記ランプカバー１２０及び前記第１及び第２固定部材６１０、６２０は、前記収納容器５００の下部から前記収納容器５００の内側に収納される。
【００６８】
前記第１及び第２固定部材６１０、６２０は、互いに対向して位置する。前記収納容器５００の第３側部５２０ｃに具備される第１固定部材６１０は、前記第１ランプホルダー１３０と隣接して位置し、前記第２固定部材６２０は前記第２ランプホルダー１３５と隣接して位置する。
【００６９】
具体的に、前記第１固定部材６１０の第１支持部６１２は、前記第３側部５２０ｃから前記収納容器５００の内側に向かって突出し、前記第１ランプホルダー１３０と前記導光板２００の入射面２１０との間に位置するように配置される。前記収納容器５００の内側に向かって突出した前記第１固定部材６１０の第１支持部６１２は、前記導光板２００の入射面２１０を部分的に支持する。
【００７０】
好ましくは、前記第１固定部材６１０の第１支持部６１２が前記光が出射される前記ランプ１１０の発光領域ＬＡと重ならないように、第１支持部６１２が前記導光板２００の入射面２１０と重なる領域ＯＡ１が前記第１ランプホルダー１３０と前記導光板２００の入射面２１０が重なる領域内に位置するように、第１固定部材６１０が配置される。即ち、前記第１固定部材６１０は第１ランプホルダー１３０によってカバーされ、前記光が出射されない前記ランプ１１０の非発光領域ＮＬＡに位置する。従って、第１固定部材６１０は、ランプ１１０の発光領域ＬＡと重ならない。
【００７１】
前記第１ランプホルダー１３０は、光が透過しない材質で形成されるので、前記第１ランプホルダー１３０が位置する領域は、非発光領域ＮＬＡになる。前記第１固定部材６１０は、前記非発光領域ＮＬＡに具備され、前記ランプ１１０からの前記導光板２００に最大限提供されるようにする。
【００７２】
前記第２固定部材６２０の第１支持部６２２は、前記第４側部５２０ｄから前記収納容器５００の内側に向かって突出し、前記第２ランプホルダー１３５と前記導光板２００の入射面２１０との間に位置するように配置される。前記収納容器５００の内側に向かって突出した前記第２固定部材６２０の第１支持部６２２は、前記導光板２００の入射面２１０を部分的に支持する。
【００７３】
第１固定部材６１０と同様に、好ましくは、前記第２固定部材６２０の第１支持部６２２は、前記発光領域ＬＡと重ならないように、第２支持部６２０が前記導光板２００の入射面２１０と重なる領域ＯＡ２が、前記第２ランプホルダー１３５と前記導光板２００の入射面２１０が重なる領域内に位置するように、第２固定部材６２０が配置される。
【００７４】
このように、前記第１及び第２固定部材６１０、６２０は、前記第１及び第２ランプホルダー１３０、１３５と隣接した前記入射面２１０の端部を支持して、前記導光板２００が前記ランプ１１０側に移動してしまうことを防止し、前記導光板２００と前記ランプ１１０が互いに接触して破損することを防止することができる。
【００７５】
これによって、前記バックライトアセンブリ１０００は、前記導光板２００の形状を加工する必要なく、前記導光板２００を固定することができるので、均一な輝度を有する光を出射することができる。
【００７６】
図１２は、図１１のＩＩ−ＩＩ’線に沿って切断した断面図である。
【００７７】
図１２を参照すると、前記第１ランプホルダー１３０と隣接した前記第３側部５２０ｃの端部には、前記第１固定部材６１０が具備される。前記第３側部５２０ｃに形成された前記第１挿入溝５２５には、前記第１固定部材６１０の第２支持部６１３が挿入され、前記第１固定部材６１０が前記収納容器５００に固定される。
【００７８】
前記第１固定部材６１０の第１支持部６１２は、前記収納容器５００の内側に突出する前記第３側部５２０ｃのエッジをカバーする。前記第１支持部６１２は、前記収納容器５００の内側に突出する前記第３側部５２０ｃのエッジと前記第１ランプホルダー１３０との間に位置する。
【００７９】
前記第１固定部材６１０が結合された前記収納容器５００には、前記ランプ１１０が収納された前記ランプカバー１２０が収納される。
【００８０】
前記第１スクリュー８１０は、前記第１結合ホール１２４及び前記結合溝６１４を貫通して、前記第１締結溝５２３に締結される。これによって、前記ランプカバー１２０は、前記収納容器５００と結合して、前記第１固定部材６１０は、前記収納容器５００との結合力が向上される。
【００８１】
図１３は、図１のＩ−Ｉ’線に沿って切断した断面図である。
【００８２】
図１３を参照すると、前記収納容器５００に前記反射シート４００が収納され、前記反射シート４００の上部に前記導光板２００が具備される。前記導光板２００の上部には、前記光学シート３００が具備される。
【００８３】
前記導光板２００の入射面２１０と前記収納容器５００の第１側部５２０ａとの間に形成された空間に、前記ランプ１１０が収納された前記ランプカバー１２０が具備される。
【００８４】
前記第１固定部材６１０の第１支持部６１２は、前記第１ランプホルダー１３０と前記入射面２１０との間に位置し、前記入射面２１０を支持して外部からの衝撃によって前記導光板２００が前記ランプ１１０側に移動することを防止する。
【００８５】
前記ランプカバー１２０の上部に位置する前記第１側部５２０ａの上面には、前記ランプ１１０と電気的に連結された前記第１及び第２ワイヤー１４０、１４５を収納する収納溝５３０が具備される。
【００８６】
前記収納容器５００の外側には、前記ランプ１１０が具備される領域に前記バックカバー７００が具備される。前記バックカバー７００の底面は、前記ランプカバー１２０の第３部分１２３と接して前記ランプ１１０から発生された熱を迅速に放出して、側面は前記第１側部５２０ａの外側面と接する。
【００８７】
図１４は、本発明の他の実施例によるバックライトアセンブリを示す分解斜視図である。
【００８８】
図１４を参照すると、本発明によるバックライトアセンブリ２０００は、ランプカバー２１１０及び接着部材２１２０を除いては、図１に図示されたバックライトアセンブリ１０００と同じ構造を有する。従って、図１４の説明において、図１のバックライトアセンブリ１０００と同じ機能を有する構成要素は同一の参照符号を付与して、その詳細な説明は省略する。
【００８９】
前記バックライトアセンブリ２０００は、光を発生するランプユニット１００、前記ランプユニット１００の一側に位置して前記光の経路をガイドする導光板２００、前記導光板２００の上部に具備され前記導光板２００からの入射された光の特性を向上させて出射する光学シート３００、前記導光板２００の下部に具備され前記導光板２００の背面に出射される光を反射する反射シート４００、収納容器５００、前記導光板２００を前記収納容器５００に付着する接着部材２２００、及び前記導光板２００を固定する第１及び第２固定部材６１０、６２０を含む。
【００９０】
より詳細には、前記ランプユニット１００は、電源の提供を受けて光を発生するランプ１１０、及び前記ランプ１００を収納するランプカバー２１００を含む。前記ランプカバー２１００は、前記ランプ１１０からの光を前記導光板２００側に向けて反射する。ランプカバー２１００は、前記ランプ１１０から発生された熱を外部に放出するバックカバーの機能も有する。
【００９１】
この実施例において、前記バックライトアセンブリ２０００は、別のバックカバーを具備することなく、前記ランプカバー２１００が前記バックカバーの機能も有するように構成したが、前記収納容器５００の外側にバックカバーを別に具備することもできる。
【００９２】
前記導光板２００は、前記ランプユニット１００からの光を面光源形態の光に変更するように背面に形成された第１プリズムパターンを具備して、前記ランプユニット１００側から反対側に行くほど、厚さが漸次薄く形成されるウェッジ形状を有する。
【００９３】
前記収納容器５００は、前記ランプユニット１００、前記導光板２００、前記光学シート３００、及び前記反射シート４００を収納する。前記収納容器５００は、底面５１０、及び前記底面５１０から収納空間を形成するように延びる側壁５２０を含む。前記底面５１０には、前記反射シート４００、前記導光板２００、及び前記光学シート３００が順次に装着される。
【００９４】
前記接着部材２２００は、前記導光板２００と前記収納容器５００の底面５１０との間に付着され、前記導光板２００を前記収納容器５００に固定する。前記接着部材２２００は両面テープで構成され、前記導光板２００の背面又はガイド面に位置する。
【００９５】
この実施例において、前記接着部材２２００は、前記ランプユニット１００と隣接した前記導光板２００の入光部側（入射面２１０側）に位置せず、前記入光部側と対向する対光部側の端部に位置する。前記接着部材２２００は、前記バックライトアセンブリ２０００の組立便宜及び前記収納容器５００の形状によって、前記入光部側又は前記入光部と前記対光部との間に位置する端部に位置することもできる。
【００９６】
前記第１及び第２固定部材６１０、６２０は、前記収納容器５００の下部から前記収納容器５００の内側に挿入され、前記収納容器５００の背面と結合する。前記第１及び第２固定部材６１０、６２０は固い金属材質で形成され、前記導光板２００が前記ランプ１１０側に移動しないように、前記導光板２００の入射面２１０を支持する。
【００９７】
このように構成することにより、前記バックライトアセンブリ２０００は、前記導光板２００の形状を加工する必要なく、前記第１及び第２固定部材６１０、６２０、及び前記接着部材２２００を利用して、前記導光板２００を前記収納容器５００に固定することができるので、均一な輝度を有する光を出射することができる。
【００９８】
図１５は、図１４のＩＩＩ−ＩＩＩ’線に沿って切断した断面図である。
【００９９】
図１５を参照すると、前記収納容器５００の底面５１０には、前記反射シート４００及び前記接着部材２２００が具備され、前記反射シート４００及び前記接着部材２２００の上部には、前記導光板２００が具備される。
【０１００】
前記反射シート４００は、前記収納容器５００の底面５１０で前記接着部材２２００が位置しない領域に位置する。前記接着部材２２００は、前記導光板２００の背面で前記対光部側の端部に位置し、前記収納容器５００の底面５１０と前記導光板２００との間に設けられ、前記導光板２００を前記収納容器５００に固定する。
【０１０１】
図１６は、図１４に図示された接着部材が入光部側に位置する場合の一例を示す断面図である。
【０１０２】
図１４及び図１６を参照すると、前記ランプカバー２１００は、前記導光板２００の入射面２１０と向かい合う第１板２１１０、前記第１板２１１０の第１端部から延びる第２板２１２０、及び前記第１板２１１０の第２端部から前記第２板２１２０と向かい合うように延びる第３板２１３０を含む。
【０１０３】
前記第２板２１２０の端部は、前記導光板２００のガイド面２３０と部分的に接して、前記第３板２１３０の端部は、前記導光板２００の出射面２２０と部分的に接する。
【０１０４】
前記ランプ１１０と前記導光板２００の入射面２１０との間には、前記第１固定部材６１０が設けられる。前記第１固定部材６１０は、前記導光板２００が前記ランプ１１０側に移動することを防止する。
【０１０５】
前記導光板２００の下には、前記反射シート４００及び前記接着部材２２００が具備される。前記接着部材２２００は、導光板２００の、前記ランプユニット１００と隣接した入光部側端部、即ち、前記ガイド面２３０の前記ランプユニット１００と隣接した端部に位置する。前記接着部材２２００は、前記ランプカバー２１００の第２板２１２０と前記ガイド面２３０との間に設けられ、前記導光板２００を前記ランプカバー２１００に付着して、前記導光板２００を固定する。
【０１０６】
前記接着部材２２００と隣接して位置する前記反射シート４００は、前記導光板２００の前記接着部材２２００が付着された端部を除いた領域に位置する。
【０１０７】
図１７は、本発明の他の実施例によるバックライトアセンブリを示す断面図である。
【０１０８】
図１７を参照すると、本発明によるバックライトアセンブリ３０００は、収納容器３１００及び接着部材３２００を除いては、図１４に図示されたバックライトアセンブリ２０００と同じ構造を有する。従って、図１７の説明において、図１４のバックライトアセンブリ２０００と同じ機能を有する構成要素には同一の参照符号を付与して、その詳細な説明は省略する。
【０１０９】
前記バックライトアセンブリ３０００は、光を発生するランプユニット（図示せず）、前記ランプユニットからの光の経路を変更して出射する導光板２００、前記導光板２００から入射された光の特性を向上させ出射する光学シート３００、前記導光板２００の下に具備され前記導光板２００からの光を反射する反射シート４００、収納容器３１００、及び前記導光板２００を前記収納容器３１００に固定する接着部材３２００を含む。
【０１１０】
前記収納容器３１００は、前記ランプユニット、前記導光板２００、前記光学シート３００、及び前記反射シート４００を収納する。前記収納容器３１００は、底面３１１０、及び前記底面３１１０のエッジから延びる側壁３１２０を含む。前記底面３１１０上には、前記反射シート４００及び前記接着部材３２００が収納される。また、底面３１１０には、その上面から突出する突起３１３０が形成される。前記反射シート４００及び前記接着部材３２００の上部には前記導光板２００が具備される。
【０１１１】
前記接着部材３２００は両面テープで構成され、前記導光板２００と前記収納容器３１００に付着される。この実施例において、前記接着部材３２００は、前記ランプユニットが位置する入光部と対向する対光部側に位置する。しかしながら、前記接着部材３２００を、前記バックライトアセンブリ３０００の組立便宜及び前記収納容器３１００の形状によって前記入光部側又は前記入光部と前記対光部との間に位置する端部に配置することもできる。
【０１１２】
前記接着部材３２００は、前記底面３１１０と前記導光板２００との間に設けられ、前記導光板２００を前記収納容器３１００に固定する。前記接着部材３２００の厚さは、前記反射シート４００より薄く形成されるので、前記導光板２００又は前記収納容器３１００からはがれてしまう虞がある。前記収納容器３１００に形成された前記突起３１３０は、前記接着部材３２００に対応する領域に形成され、前記接着部材３２００が前記導光板２００又は前記収納容器３１００から分離してしまうことを防止する。
【０１１３】
即ち、前記収納容器３１００の突起３１３０は、前記底面３１１０の上面から前記接着部材３２００と前記反射シート４００との間の厚さの差異に相当する高さ分だけ突出しており、前記接着部材３２００は、前記導光板２００と前記突起３１３０との間に配置される。従って、前記接着部材３２００は、前記導光板２００及び前記収納容器３１００と密着され、前記導光板２００を前記収納容器３１００に固定する。これによって、前記バックライトアセンブリ３０００は、前記導光板２００の形状を変更する必要なく、前記導光板２００を固定することができるので、均一な輝度を有する光を提供することができる。
【０１１４】
図１７には示していないが、前記バックライトアセンブリ３０００は、前記導光板２００が前記ランプユニット側に移動しないように、前記導光板２００を固定する第１及び第２固定部材を具備する。
【０１１５】
図１８は、本発明の更に他の実施例によるバックライトアセンブリを示す断面図である。
【０１１６】
図１８を参照すると、本発明によるバックライトアセンブリ４０００は、ランプカバー４１００及び接着部材４２００を除いては、図１４に図示されたバックライトアセンブリ２０００と同じ構造を有する。従って、図１８の説明において、図１４のバックライトアセンブリ２０００と同じ機能を有する構成要素には同一の参照符号を付与して、その詳細な説明は省略する。
【０１１７】
前記バックライトアセンブリ４０００は、光を発生するランプ１１０、前記ランプ１１０を収納するランプカバー４１００、前記ランプ１１０の一側に位置して前記光の経路をガイドする導光板２００、前記導光板２００の上部に具備された光学シート３００、前記導光板２００の下部に具備された反射シート４００、収納容器５００、前記導光板２００を固定する第１固定部材６１０及び第２固定部材（図示せず）、前記導光板２００を前記ランプカバー４１００に付着させる接着部材４２００を含む。
【０１１８】
前記ランプカバー４１００は、前記導光板２００の入射面２１０と向かい合う第１板４１１０、前記第１板４１１０の第１端部から延びる第２板４１２０、及び前記第１板４１１０の第２端部から前記第２板４１２０と向かい合うように延びる第３板４１３０を具備する。
【０１１９】
前記第２板４１２０の端部は前記導光板２００の背面と接して、前記第３板４１２０の端部は前記導光板２００の上面と接する。前記第２板４１２０は、前記接着部材４２００と対応する領域に、前記導光板２００側に突出する突起４１２１が形成される。
【０１２０】
前記接着部材４２００は、前記導光板２００の背面で前記ランプ１１０と隣接した入光部側端部に位置する。前記接着部材４２００は両面テープで構成され、前記突起４１２１と前記導光板２００との間に設けられ、前記導光板２００を前記ランプカバー４１００に固定する。
【０１２１】
前記接着部材４２００の厚さは、前記反射シート４００より薄く形成される。従って、前記接着部材４２００が前記ランプカバー４１００や前記導光板２００からはがれてしまう虞がある。前記ランプカバー４１００に形成された前記突起４１２１は、前記接着部材４２００と対応する領域に形成され、前記接着部材４２００が前記導光板２００又は前記ランプカバー４１００から剥がれてしまうことを防止する。
【０１２２】
即ち、前記突起４１２１は、前記第２板４１２０の上面から前記接着部材４２００と前記反射シート４００との間の厚さの差異に相当する高さ分だけ突出され、前記接着部材４２００は、前記導光板２００と前記突起４１２１との間に配置される。従って、前記接着部材４２００は、前記導光板２００及び前記ランプカバー４１００と密着され、前記導光板２００を前記ランプカバー４１００に固定する。これによって、前記バックライトアセンブリ４０００は、前記導光板２００の形状を変更する必要なく、前記導光板２００を固定することができるので、均一な輝度を有する光を提供することができる。
【０１２３】
図１９は、本発明の更に他の実施例によるバックライトアセンブリを示す断面図である。
【０１２４】
図１９を参照すると、本発明によるバックライトアセンブリ５０００は、第１及び第２接着部材５１００、５２００を除いては、図１４に図示されたバックライトアセンブリ２０００と同じ構造を有する。従って、図１９の説明において、図１４のバックライトアセンブリ２０００と同じ機能を有する構成要素には同一の参照符号を付与して、その詳細な説明は省略する。
【０１２５】
前記バックライトアセンブリ５０００は、光を発生するランプユニット（図示せず）、前記ランプユニットの一側に位置して前記光の経路をガイドする導光板２００、前記導光板２００の上部に具備された光学シート３００、前記導光板２００の下部に具備された反射シート４００、収納容器５００、前記導光板２００の入射面を支持して、前記導光板２００が前記ランプユニット側に移動することを防止する第１及び第２固定部材（図示せず）、及び前記導光板２００を収納容器５００に固定する第１及び第２接着部材５１００、５２００を含む。
【０１２６】
前記収納容器５００の底面５１０には前記反射シート４００が具備され、前記反射シート４００の上方には前記導光板２００が具備される。
【０１２７】
前記第１及び第２接着部材５１００、５２００は両面テープで構成され、前記ランプユニットが具備された入光部と対向する対光部側に具備される。より具体的には、前記第１及び第２接着部材５１００、５２００は、前記反射シート４００の、前記対光部側の端部に具備される。
【０１２８】
前記第２接着部材５２００は、前記反射シート４００と前記底面５１０との間に配置され、前記反射シート４００を前記収納容器５００に固定する。前記第１接着部材５１００は、前記導光板２００と前記反射シート４００との間に配置され、前記反射シート４００を前記導光板２００に固定する。これによって、前記バックライトアセンブリ５０００は、前記導光板２００の形状を変更する必要なく、前記導光板２００を前記収納容器５００に固定することができるので、均一な輝度を有する光を提供することができる。
【０１２９】
図２０は、図１９に図示された第１及び第２接着部材が入光部側に位置する場合の一例を示す断面図である。
【０１３０】
前記ランプ１１０は前記ランプカバー１２０に収納され、前記ランプ１１０の一側には前記導光板２００が具備される。前記ランプ１１０を固定するランプホルダー１３０と前記導光板２００の入射面との間には、第１固定部材６１０が具備され前記導光板２００が前記ランプ１１０側に移動することを防止する。
【０１３１】
前記第１及び第２接着部材５１００、５２００は、前記光を発生するランプ１１０が位置する入光部側に具備される。より具体的には、前記第１及び第２接着部材５１００、５２００は、前記反射シート４００の前記入光部側端部に位置する。
【０１３２】
前記第２接着部材５２００は、前記ランプカバー１２０と前記反射シート４００との間に配置され、前記反射シート４００を前記ランプカバー１２０に固定する。前記第１接着部材５１００は、前記反射シート４００と前記導光板２００との間に配置され、前記反射シート４００を前記導光板２００に固定する。これによって、前記バックライトアセンブリ５０００は、前記導光板２００の形状を変更する必要なく、前記導光板２００を固定することができるので、均一な輝度を有する光を提供することができる。
【０１３３】
図２１は、本発明の一実施例による液晶表示装置を示す分解斜視図である。本実施例において、前記液晶表示装置に具備されたバックライトアセンブリ７０００は、図１乃至図２０を参照して説明したバックライトアセンブリ１０００、２０００、３０００、４０００、５０００と同様の構成を有するので、同じ機能を有する構成要素については同一の参照符号を付与して、その詳細な重複する説明は省略する。
【０１３４】
図２１を参照すると、本発明による液晶表示装置は、光を利用して画像を表示する表示パネルアセンブリ６０００、前記光を発生するバックライトアセンブリ７０００、前記表示パネルアセンブリ６０００の水平を維持し、光が漏れる現象を防止するガイドパッド８０００、及び前記表示パネルアセンブリ６０００の位置をガイドするトップシャーシ９０００を含む。
【０１３５】
より詳細には、前記表示パネルアセンブリ６０００は、前記光を利用して画像信号に対応する画像を表示する液晶表示パネル６１００、前記画像信号に対応する駆動信号を生成するデータ側及びゲート側印刷回路基板６２００、データ側テープキャリアパッケージ（以下、ＴＣＰ）６３００、及びゲート側ＴＣＰ６４００を含む。
【０１３６】
具体的に、前記液晶表示パネル６１００は、薄膜トランジスタ基板（以下、ＴＦＴ）６１１０、前記ＴＦＴ基板６１１０と互いに対向して結合するカラーフィルター基板６１２０、及び前記ＴＦＴ基板６１００と前記カラーフィルター基板６１２０との間に設けられる液晶層（図示せず）を含む。
【０１３７】
前記ＴＦＴ基板６１１０は、多数の画素（図示せず）がマトリックス形態で具備される。各画素は、互いに対して直交する方向に延びるゲートライン（図示せず）及びデータラインによって定義される。前記各画素には、スイッチング素子として動作するＴＦＴ及び画素電極が具備される。
【０１３８】
前記カラーフィルター基板６１２０は、薄膜工程によって形成され前記光を利用して所定の色を発現するＲＧＢ色画素（図示せず）及び共通電極を具備する。
【０１３９】
前記ＴＦＴ基板６１１０と前記カラーフィルター基板６１２０との間には、前記液晶層が設けられる。前記液晶層は、前記画素電極と前記共通電極との間に形成される電界によって特定方向に配列され、前記バックライトアセンブリ７０００から提供される光の透過度を調節する。
【０１４０】
前記液晶表示パネル６１００のソース側には、前記印刷回路基板６２００が具備される。前記印刷回路基板６２００には、前記駆動信号を生成する駆動チップ、前記駆動信号のタイミングを調節するためのタイミングコントローラ、及びデータ信号及びゲート信号を保存するためのメモリ等が実装される。
【０１４１】
前記印刷回路基板６２００の一端部には、前記データ側ＴＣＰ６３００が具備される。前記データ側ＴＣＰ６３００は、前記液晶表示パネル６１００及び前記印刷回路基板６２００と電気的に連結され、前記印刷回路基板６２００から印加された前記駆動信号及び前記データ信号を前記液晶表示パネル６１００に提供する。
【０１４２】
前記液晶表示パネル６１００のゲート側には、前記ゲート側ＴＣＰ６４００が付着される。前記ゲート側ＴＣＰ６４００は、前記印刷回路基板６２００から印加された前記ゲート信号及び前記駆動信号を前記液晶表示パネル６１００に印加する。
【０１４３】
前記表示パネルアセンブリ６０００の下には、前記液晶表示パネル６１００に均一な光を提供するための前記バックライトアセンブリ７０００が具備される。
【０１４４】
前記バックライトアセンブリ７０００と前記液晶表示パネル６１００との間には、ゴム材質で形成された前記ガイドパッド８０００が具備される。前記ガイドパッド８０００は、前記液晶表示パネル６１００が水平を維持するように、前記バックライトアセンブリ７０００に付着され前記液晶表示パネル６１００の端部を支持する。
【０１４５】
前記液晶表示パネル６１００の上部には、前記液晶表示パネル６１００の位置をガイドする前記トップシャーシ９０００が具備される。前記トップシャーシ９０００は、前記バックライトアセンブリ７０００の収納容器５００と対向するように結合して、前記液晶表示パネル６１００を前記収納容器５００に固定する。
【０１４６】
図２２は、図２１のＩＶ−ＩＶ’に沿って切断した断面図である。
【０１４７】
図２２を参照すると、前記収納容器５００は、反射シート４００及び背面に第１プリズムパターンが形成された導光板２００を収納する。前記収納容器５００の側壁と前記導光板２００との間に形成された空間には、ランプカバー１２０に収納されたランプ１１０が具備される。前記ランプカバー１２０が収納される前記収納容器５００の側壁は、前記ランプカバー１２０の第１板１２１及び第３板１２３をカバーする。
【０１４８】
前記導光板２００と前記ランプ１１０を固定する第１ランプホルダー１３０との間には、第１固定部材６１０が具備され前記導光板２００が前記ランプ１１０側に移動することを防止する。これによって、前記バックライトアセンブリ７０００は、前記導光板２００の形状を変更することなく、前記導光板２００を固定することができるので、前記液晶表示パネル６１００に均一な輝度を有する光を提供することができる。
【０１４９】
図示していないが、前記バックライトアセンブリ７０００は、前記導光板２００を固定する少なくとも一つ以上の接着部材を更に具備することもできる。前記接着部材は、前記導光板２００の背面に具備され前記導光板２００を前記収納容器５００又は前記ランプカバー１２０に固定する。前記バックライトアセンブリ７０００は、２個以上の接着部材を具備して、前記反射シート４００を前記導光板２００に付着して、前記反射シート４００を前記収納容器５００又は前記ランプカバー１２０に固定するように構成することもできる。
【０１５０】
前記収納容器５００の側壁の上部面には、前記液晶表示パネル６１００が収納される。前記収納容器５００の側壁に形成されたガイド部５５０は、前記液晶表示パネル６１００をガイドする。
【０１５１】
前記収納容器５００の側壁は、前記ランプカバー１２０の第３板１２３を一部分のみカバーするので、前記第３板１２３は、前記導光板２００と隣接した端部が露出される。又、前記収納容器５００の側壁の前記ランプ１１０が収納された部分の上部面には、前記ランプ１１０のワイヤーを収納する収納溝５３０等が形成され、その高さが一定ではない。従って、前記液晶表示パネル６１００と前記導光板２００との間の間隔が一定ではない。
【０１５２】
ガイドパッド８０００は、前記第３板１２３の露出された端部と前記液晶表示パネル６１００との間に具備される。このようにガイドパッド８０００を設けることにより、前記液晶表示パネル６１００の水平を維持し、光が漏れる現象を防止することができる。
【０１５３】
前記トップシャーシ９０００の上面９１００は、前記液晶表示パネル６１００の前記画像が表示されないエッジ領域をカバーし、前記上面９１００から延びる側壁９２００は、前記液晶表示パネル６１００をガイドする。
【０１５４】
前述した本発明によれば、バックライトアセンブリに、導光板の入射面を支持して導光板がランプ側に移動することを防止する第１及び第２固定部材を設けることにより、バックライトアセンブリは導光板の形状を変更することなく、導光板を固定することができるので、液晶表示パネルに均一な輝度を有する光を提供することができ、表示特性を向上させることができる。
【０１５５】
又、バックライトアセンブリに、導光板を固定する、両面テープで構成された接着部材を設けたので、導光板をより堅固に固定することができる。
【０１５６】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１５７】
【図１】本発明の一実施例によるバックライトアセンブリを示す分解斜視図である。
【図２】図１に図示されたランプを示す斜視図である。
【図３】図１に図示された導光板及びプリズムシートを示す斜視図である。
【図４】図１に図示された収納容器を示す斜視図である。
【図５】図４に図示されたＡ部分を拡大して示す斜視図である。
【図６】図４に図示されたＢ部分を拡大して示す斜視図である。
【図７】図６に図示された収納溝にワイヤーが収納された状態を示す斜視図である。
【図８】図１に図示された収納容器、第１及び第２固定部材、及びランプカバー間の結合関係を示す部分分解斜視図である。
【図９】図１に図示された第１固定部材を示す斜視図である。
【図１０】図９に図示されたＣ部分を拡大して示す斜視図である。
【図１１】図９に図示された収納容器、第１及び第２固定部材、及びランプカバーが結合された状態を示す平面図である。
【図１２】図１１のＩＩ−ＩＩ’線に沿って切断した断面図である。
【図１３】図１のＩ−Ｉ’線に沿って切断した断面図である。
【図１４】本発明の他の実施例によるバックライトアセンブリを示す分解斜視図である。
【図１５】図１４のＩＩＩ−ＩＩＩ’線に沿って切断した断面図である。
【図１６】図１４に図示された接着部材が入光部側に位置する場合の一例を示す断面図である。
【図１７】本発明の他の実施例によるバックライトアセンブリを示す断面図である。
【図１８】本発明の更に他の実施例によるバックライトアセンブリを示す断面図である。
【図１９】本発明の更に他の実施例によるバックライトアセンブリを示す断面図である。
【図２０】図１９に図示された第１及び第２接着部材が入光部側に位置する場合の一例を示す断面図である。
【図２１】本発明の一実施例による液晶表示装置を示す分解斜視図である。
【図２２】図２１のＩＶ−ＩＶ’線に沿って切断した断面図である。
【符号の説明】
【０１５８】
１００    ランプユニット
１１０    ランプ
１２０    ランプカバー
１４０    第１ワイヤー
１４５    第２ワイヤー
２００    導光板
３００    光学シート
４００    反射シート
５００    収納容器
６１０    第１固定部材
６２０    第２固定部材
１０００    バックライトアセンブリ
【図１】
2006216529.tif 000003
【図２】
2006216529.tif 000004
【図３】
2006216529.tif 000005
【図４】
2006216529.tif 000006
【図５】
2006216529.tif 000007
【図６】
2006216529.tif 000008
【図７】
2006216529.tif 000009
【図８】
2006216529.tif 000010
【図９】
2006216529.tif 000011
【図１０】
2006216529.tif 000012
【図１１】
2006216529.tif 000013
【図１２】
2006216529.tif 000014
【図１３】
2006216529.tif 000015
【図１４】
2006216529.tif 000016
【図１５】
2006216529.tif 000017
【図１６】
2006216529.tif 000018
【図１７】
2006216529.tif 000019
【図１８】
2006216529.tif 000020
【図１９】
2006216529.tif 000021
【図２０】
2006216529.tif 000022
【図２１】
2006216529.tif 000023
【図２２】
2006216529.tif 000024